(57)【要約】【課題】少数の大輪や小輪の切花を花筒に立体的にバランスよく配置して外観上見栄えよく活けることのできる花筒を提供する。また、花筒内の水枯れを防ぐことのできる花筒を提供する。【解決手段】有底円筒状の花筒本体11と、その内部に上端開口部11ａから挿入配置し、花筒本体内に活けた切花を支持する支持補助具12を備える花筒であって、支持補助具12は、花筒本体内部の底部11ｂに配置される剣山部13と、その上に立設される支柱部14と、その上端に支持されると共に花筒本体の上端開口部を閉塞する円板状の蓋部15とから構成し、蓋部15の中央部に複数本の切花を挿し込むための第１の挿し込み口22を設け、蓋部15の前方部にはより小径で第１の挿し込み口22の周囲に沿って複数の第２の挿し込み口23を等間隔に設け、蓋部15の後方部には第１の挿し込み口22の周囲に沿って、着脱可能な補助蓋24によって閉塞される第３の挿し込み口25を設ける。【選択図】図１
0003135766.tif 000002
【実用新案登録請求の範囲】
【請求項１】
有底円筒状の花筒本体と、同花筒本体の内部に上端開口部から挿入配置し、花筒本体に活けた切花を支持する支持補助具とを備える花筒であって、
前記支持補助具は、花筒本体内部の底部に配置される剣山部と、この剣山部の上に立設される支柱部と、支柱部の上端に支持されると共に花筒本体の上端開口部を閉塞する円板状の蓋部とから構成し、
前記蓋部の中央部に複数本の切花を挿し入れるための第１の挿し入れ口を設け、蓋部の前方部には第１の挿し入れ口よりも小径で第１の挿し入れ口の周囲に沿って複数の第２の挿し入れ口を等間隔に設け、蓋部の後方部には第１の挿し入れ口の周囲に沿って左右の第２の挿し入れ口の近傍まで延在し、着脱可能な補助蓋によって閉塞される第３の挿し入れ口を設けたことを特徴とする、花筒。
【請求項２】
第１の挿し入れ口の、蓋部の外径に対する内径の比を１／３〜１／２とすることを特徴とする、請求項１記載の花筒。
【請求項３】
第２の挿し入れ口の、第１の挿し入れ口の内径に対する内径の比を１／６〜１／２とすることを特徴とする、請求項１または請求項２記載の花筒。
【請求項４】
第３の挿し入れ口の、全周の長さに対する周方向に沿う長さの比を１／４〜１／２とすることを特徴とする、請求項１ないし請求項３記載の花筒。
【考案の詳細な説明】
【技術分野】
【０００１】
本考案は、墓石等に設置されて花を活けるための花筒に関する。
【背景技術】
【０００２】
従来一般の墓石は、図７に示すように、墓石１の前部に一対の花台石２が配置され、各花台石２の上面には穴３がそれぞれ設けられ、各穴３に差し込まれる形で花筒４が載置される。各花筒４にはお供えの切花を挿し入れると共に、花筒内部に水を入れるようにしている。
【０００３】
墓石に供える花を絶やしたくないと考える人は多いが、多くの切花を供えようとするとその分費用が嵩み、特に彼岸やお盆の時期になると切花の値段が上がりやすい。また、多くの切花を供えると、花筒へ収容できる水の量がその分減り、特に夏場においてはすぐに水枯れしたり、切花が痛んだりしやすい。このため、頻繁に足を運んで花の手入れや水のチェックをしなければならなくなるが、お墓が遠方にあったり、仕事が忙しい人にとっては、容易ではない。
【０００４】
費用の問題に対しては、花筒に活ける切花を減らすことが考えられるが、単純に切花の数を減らすだけでは、見た目が寂しく、また、花筒に挿し入れた切花の周囲に大きな隙間ができて、切花の姿勢が安定せず、外観上の見栄えがよくないばかりか、強風で簡単に折れたり飛んだりするおそれもある。
【０００５】
一方、水の問題に対しては、水を自動供給する装置の提案（例えば特許文献１）がなされているが、維持管理のコストが高くなるという新たな問題がある。
【０００６】
【特許文献１】特開２００２−２２３６４７号公報
【考案の開示】
【考案が解決しようとする課題】
【０００７】
本考案は上記問題点に鑑みてなされたもので、少数の大輪や小輪の切花を花筒に立体的にバランスよく配置して外観上見栄えよく活けることができ、また、これによって切花に掛ける費用負担を減らすことのできる、花筒を提供することを目的とする。また、花筒内の水枯れを防ぐことのできる、花筒を提供することを目的とする。
【課題を解決するための手段】
【０００８】
前記課題を達成するために、本考案に係る請求項１の花筒は、
有底円筒状の花筒本体と、同花筒本体の内部に上端開口部から挿入配置し、花筒本体に活けた切花を支持する支持補助具とを備える花筒であって、
前記支持補助具は、花筒本体内部の底部に配置される剣山部と、この剣山部の上に立設される支柱部と、支柱部の上端に支持されると共に花筒本体の上端開口部を閉塞する円板状の蓋部とから構成し、
前記蓋部の中央部に複数本の切花を挿し込むための第１の挿し込み口を設け、蓋部の前方部には第１の挿し込み口よりも小径で第１の挿し込み口の周囲に沿って複数の第２の挿し込み口を等間隔に設け、蓋部の後方部には第１の挿し込み口の周囲に沿って第２の挿し込み口の近傍まで延在し、着脱可能な補助蓋によって閉塞される第３の挿し込み口を設けたことを特徴とする。
【０００９】
有底円筒状の花筒本体の内部に支持補助具を挿入配置した状態で、花筒本体の底部に剣山部が位置し、支柱部を介して、蓋部が花筒本体の上部開口部を覆う。蓋部の中央部に位置する第１の挿し入れ口から複数本の大輪系の切花を挿し入れ、各切花の茎部の下端部を剣山の上に固定すると、各切花の茎部の上部が第１の挿し入れ口で束ねられると共に、略直立の姿勢に保持される。第１の挿し入れ口から各切花の花部に向かう茎部の上側は次第に拡がりをもち、大輪の花を立体的に形よく整えることができる。なお、切花には造花を組み合わせてもよい。
【００１０】
大輪系の花としては、例えば花径が８ｃｍ以上ある大輪菊、蘭、ユリ、百日草、ヒマワリ、キンセンカなどが好適である。これに中輪系の花、例えばマーガレットなどを組み合わせてもよい。
【００１１】
蓋部の前方部の小径の第２の挿し入れ口のそれぞれに背の低い小輪の花を挿し入れて、それぞれの花の茎部を剣山の上に固定することにより、中央の大輪の花の前方において、背の低い小輪の花を、立体的にバランスよく配置することができる。ここで、小輪系の花としては、例えば花径が５ｃｍ程度の小菊、トルコキキョウなどが好適である。
【００１２】
蓋部の後方部の、第２の挿し入れ口の近傍まで延在する第３の挿し入れ口に背の高いさか柴、花柴、シキミ等の常緑の枝木を挿し入れて、各枝木を剣山の上に固定することにより、背の高いさか柴、花柴、シキミ等の常緑の枝木を、中央の大輪の花の後方において、立体的にバランスよく配置することができる。
【００１３】
このようにして、本考案の花筒によれば、中央の大輪の花、前方の背の低い小輪の花および後方の背の高いさか柴等の枝木の、それぞれを花筒内に立体的にバランスよく配置し、切花を、あたかも花筒一杯に活けたかの如く、見栄えよく飾ることができる。
【００１４】
有底円筒状の花筒本体の内部に支持補助具を挿入配置した状態において、蓋部は、その上面を花筒本体の上端開口部から上方に突出させないことが望ましい。花筒本体に活けた大輪の花の見栄えを損なわずにすむ。
【００１５】
花筒本体の上端開口部が蓋部で閉塞されるので、水枯れしやすい夏場において、花筒本体の内部に給水した水が花筒の上端開口部からすぐに蒸発してしまうことがなく、水枯れを抑えて、花筒本体に活けた花が直ぐに枯れるのを防ぐと共に、お墓に供えた生花の手入れを楽にする。また、枝木を活けない場合は、蓋部の開口部から花筒本体内部への給水を容易にし、その上から開口部を補助蓋で閉塞して、花筒本体内部へ給水した水の蒸発乾燥をより一層抑制し、花の日持ちを良くすることができる。
【００１６】
本考案に係る請求項２の花筒は、第１の挿し入れ口の、蓋部の外径に対する内径の比を１／３〜１／２とすることを特徴とする。第１の挿し入れ口の、蓋部の外径に対する内径の比を１／３〜１／２の範囲とすることで、花筒の径の大きさに応じて、第１の挿し入れ口に挿し入れる大輪系の切花の本数を適正数に調整できる。
【００１７】
本考案に係る請求項３の花筒は、第２の挿し入れ口の、第１の挿し入れ口の内径に対する比を１／６〜１／２とすることを特徴とする。第２の挿し入れ口の、第１の挿し入れ口の内径に対する比を１／６〜１／２の範囲とすることで、花筒の径の大きさに応じて、第２の挿し入れ口に挿し入れる小輪系の切花の本数を適正数に調整できる。
【００１８】
本考案に係る請求項４の花筒は、第３の挿し入れ口の、全周の長さに対する周方向に沿う長さの比を１／４〜１／２とすることを特徴とする。第３の挿し入れ口の、全周の長さに対する周方向に沿う長さの比を１／４〜１／２の範囲とすることで、花筒の径の大きさに応じて、第３の挿し入れ口に挿し入れる背の高いさか柴等の枝木の本数を適正数に調整することができる。
【考案の効果】
【００１９】
以上説明したように、本考案の花筒によれば、有底円筒状の花筒本体の内部に花筒本体に活ける切花を支持する支持補助具を挿入配置し、前記支持補助具は、花筒本体内部の底部に配置される剣山部と、この剣山部の上に立設される支柱部と、支柱部の上端に支持されると共に花筒本体の上端開口部を閉塞する円板状の蓋部とから構成し、前記蓋部の中央部に複数本の切花を挿し入れるための第１の挿し入れ口を設け、蓋部の前方部には第１の挿し入れ口よりも小径で第１の挿し入れ口の周囲に沿って複数の第２の挿し入れ口を等間隔に設け、蓋部の後方部には第１の挿し入れ口の周囲に沿って左右の第２の挿し入れ口の近傍まで延在し、着脱可能な補助蓋によって閉塞される第３の挿し入れ口を設けたから、蓋部の中央部の第１の挿し入れ口に少数本の大輪系の切花を、蓋部の前方部の第２の挿し入れ口のそれぞれに背の低い小輪系の切花を、蓋部の後方部の第３の挿し入れ口に背の高いさか柴等の枝木を、それぞれ挿し入れて、支持補助具によって、それらを立体的にバランスよく配置し、外観上見栄えのよい姿勢に安定保持させることができる。これによって、切花を花筒の開口部一杯に活けなくても、十分に見栄えよく活けることができ、切花に掛る費用負担の軽減を減らすことができる。
【００２０】
また、花筒本体の上端開口部を覆う蓋部や補助蓋によって、特に夏場において、花筒内の水枯れを効果的に防ぎ、切花の日持ちを良くすることができる。
【考案を実施するための最良の形態】
【００２１】
以下、図面を参照して、本考案の実施形態を説明する。図１ないし図６は本考案に係る花筒の一実施形態を示すもので、図１において符号１０は墓石用の花筒を示している。
【００２２】
図１に示すように、墓石用の花筒１０は、有底円筒状の花筒本体１１と、この花筒本体１１の内部空間にその上端開口部１１ａから挿入配置される支持補助具１２とから構成されている。
【００２３】
花筒本体１１は、材質が陶器製またはステンレス製からなるもので、図７に示される墓石１の前部に配置される左右の花台石２の上面の穴３に差し込まれる形で設置されるようになっている。図１に示される花筒本体１１の大きさは、陶器製の場合、外径Ｄ１が約７ｃｍ〜９ｃｍ（図示例では８ｃｍ）、内径Ｄ２が約５ｃｍ〜７ｃｍ（図示例では６ｃｍ）で、高さが約２０ｃｍである。
【００２４】
支持補助具１２は、花筒本体１１に活けた切花を支持するもので、図２に示すように、花筒本体１１内部の底部１１ｂに配置される剣山部１３と、この剣山部１３の上に立設される支柱部１４と、支柱部１４の上端に支持されると共に花筒本体１１の上端開口部１１ａを閉塞する円板状の蓋部１５とから構成されている。
【００２５】
剣山部１３は、円板状のベース１６の上面に多数の針状の突起１７が突設されているもので、花筒本体１１内部に挿し入れられる切花の茎部の下端部を突き刺して固定可能となっている。この剣山部１３は、ステンレス製からなる他、プラスチック製であってもよい。突起１７は針状でなくても、花筒本体１１内部に挿し入れられる切花の茎部の下端部が容易に動かないように、係止固定できる形状のものであればよい。
【００２６】
支柱部１４は、図示例の場合、蓋部１５を安定支持するために３本の支柱１８から構成され、各支柱１８は、花筒本体１１の内部高さと略同一の長さを有するステンレス製の棒状部材からなる。各支柱１８は、剣山部１３の上面に溶接等の手段で固定され、剣山部１３の上面に立設され、その上端部に上下２つのナット１９、２０によって蓋部１５が支持されている。
【００２７】
蓋部１５は、ゴム製からなるもので、花筒本体１１の上端開口部１１ａを閉塞する大きさの円板形状をしている。この蓋部１５は、上述したように、支柱部１４を構成する３本の支柱１８の上端部にボルト１９およびナット２０によって支持固定され、３本の支柱１８の上端部を挿通して取付けるための取付孔２１が蓋部１５の上下に貫通している。
【００２８】
この蓋部１５には、図３の平面図に示すように、中央部に複数本（図示例では５〜６本程度）の大輪系の切花を挿し入れできる第１の挿し入れ口２２が上下に貫通して設けられている。第１の挿し入れ口２２の、蓋部１５の外径Ｄ３に対する内径Ｄ４の比は１／３〜１／２の範囲で設定されている。図示例の場合、同比は約１／３とされている（蓋部１５の外径Ｄ３＝６ｃｍに対し、第１の挿し入れ口２２の内径Ｄ４＝２ｃｍ）。
【００２９】
大輪系の花としては、例えば花径が８ｃｍ以上ある大輪菊、蘭、ユリ、百日草、ヒマワリ、キンセンカなどを挿し入れできる。これに中輪系の花、例えばマーガレットなどを組み合わせてもよい。
【００３０】
また、蓋部１５の前方部には、第１の挿し入れ口２２よりも小径で、第１の挿し入れ口の周囲に沿って、複数個（図示例では６個）の第２の挿し入れ口２３が等間隔に設けられている。この第２の挿し入れ口２３には、背の低い小輪系の切花を１本乃至数本挿し入れるようになっており、第２の挿し入れ口２３の、第１の挿し入れ口２２の内径Ｄ４に対する内径Ｄ５の比は１／６〜１／２の範囲で設定されている。図示例の場合、同比は約１／３とされている（第１の挿し入れ口２２の内径Ｄ４＝２ｃｍに対し、第２の挿し入れ口２３の内径Ｄ５＝０．７ｃｍ）。
【００３１】
背の低い小輪系の花としては、例えば花径が５ｃｍ程度の小菊、トルコキキョウなどを挿し入れることができる。
【００３２】
さらに、蓋部１５の後方部には、第１の挿し入れ口２２の周囲に沿って左右の第２の挿し入れ口２３の近傍まで延在され、着脱可能な補助蓋２４によって閉塞される第３の挿し入れ口２５が上下に貫通して設けられている。この第３の挿し入れ口２５には、補助蓋２４を外して、背の高い常緑の枝木を複数本（図示例の場合、２本〜４本）挿し入れるようになっている。このため、第３の挿し入れ口２５の軸線に沿う全周長さに対する長さＬ１の比が１／４〜１／２の範囲で設定されている。図示例の場合、同比は約１／３とされている（第３の挿し入れ口２５の軸線に沿う全周長さ約１３ｃｍに対し、同軸線に沿う長さＬ１＝約４．５ｃｍ）。
【００３３】
背の高い常緑の枝木としては、さか柴、花柴、シキミ等で適宜の高さに切ったものを挿し入れることができる。
【００３４】
次に、上記のように構成された花筒１０の使用方法について以下に説明する。
【００３５】
墓石１の花石台２の穴３に花筒本体１１を差し入れて設置し、花筒本体１１の内部には支持補助具１２を上から挿入配置する。花筒本体１１の内部には底部１１ｂに支持補助具１２の剣山部１３が位置し、花筒本体１１の上端開口部１１ａは支持補助具１２の蓋部１５によって閉塞されている。
【００３６】
まず、図４に示すように、数本の大輪の切花３０を、蓋部１５の中央部の第１の挿し入れ口２２に挿し入れ、各茎部３０ａの下端部を内部の剣山部１３の上に突き刺し固定する。そして、挿し入れた各大輪の切花３０の姿勢を立体的にバランスよく整える。それぞれの大輪の切花３０は、茎部３０ａの下端部が内部の剣山部１３によって固定され、茎部３０ａの途中が第１の挿し入れ口２２の内周面によって束ねられ支持されるので、中央部の大輪の切花３０の姿勢は常に安定保持され、整えた姿勢が容易に崩れることはない。
【００３７】
次に、図５に示すように、大輪の切花３０よりも背の低い数本の小輪の切花３１を、蓋部１５の前方部の複数個の第２の挿し入れ口２３に挿し入れ、それぞれの茎部３１ａの下端部を内部の剣山部１３の上に突き刺し固定する。挿し入れたそれぞれの小輪の切花３１を、大輪の切花３０の前方で立体的にバランスよく配置する。
【００３８】
次に、蓋部１５の後方部で補助蓋２４が外された第３の挿し入れ口２５から花筒１１内部に水を一杯に入れる。そして、図６に示すように、大輪の切花３０よりも背の高い数本のさか芝等の常緑の枝木３２を第３の挿し入れ口２５に挿し入れて、各枝木３２の下端部を内部の剣山部１３の上に突き刺し固定する。挿し入れたそれぞれの枝木３２を、大輪の切花３０の後方で立体的にバランスよく配置する。
【００３９】
かくして、花筒１１の中央部に数本の大輪の切花３０、その前方部に数本の背の低い小輪の切花３１、後方部に数本の背の高い枝木３２のそれぞれが立体的にバランスよく配置され、これらの切花を外観上見栄えよく飾ることができる。また、その見栄えのよい姿勢を長期に亘り安定保持することができる。
【００４０】
また、蓋部１５によって花筒本体１１の上端開口部１１ａが閉塞されるので、夏場に直ぐに水枯れをおこすような事態を防ぐことができ、花の日持ちをよくすることができる。
【００４１】
そして、支持補助具１２を用いることで、切花を花筒本体１１に一杯に活けなくても、少数本の切花で外観上見栄えよく飾ることができるから、切花の購入や維持に要する費用を多く掛けなくてすむようになる。
【００４２】
以上説明した実施形態では、墓石用の花筒に適用した例について説明したが、これに限らず、例えば室内装飾用の、胴部が拡がると共に首が狭くなった形状の花筒などにも適用することができる。
【産業上の利用可能性】
【００４３】
本考案に係る花筒は、切花を立体的にバランスよく配置して、外観上見栄えよく活けることのできる花筒として、利用可能である。
【図面の簡単な説明】
【００４４】
【図１】本考案の一実施形態を示す墓石用の花筒の分解斜視図、
【図２】花筒本体に支持補助具を挿入配置した状態を示す縦断面図、
【図３】支持補助具の蓋部の平面図、
【図４】図３に示す蓋部の第１の挿し入れ口から大輪の花を花筒本体内に挿し入れた状態を示す斜視図、
【図５】図３に示す蓋部の第２の挿し入れ口から背の低い小輪の花を花筒本体内に挿し入れた状態を示す斜視図、
【図６】図３に示す蓋部の第３の挿し入れ口から背の高い枝木を花筒本体内に差し入れた状態を示す斜視図、
【図７】一般的な墓石の構成を示す斜視図である。
【符号の説明】
【００４５】
１  墓石
２  花台石
３  穴
４，１０  花筒
１１  花筒本体
１１ａ  上端開口部
１１ｂ  底部
１２  支持補助具
１３  剣山部
１４  支柱部
１５  蓋部
１６  ベース
１７  突起
１８  支柱
１９、２０  ナット
２１  取付孔
２２  第１の挿し入れ口
２３  第２の挿し入れ口
２４  補助蓋
２５  第３の挿し入れ口
３０  大輪の花
３０ａ、３１ａ  茎部
３１  背の低い小輪の花
３２  背の高い常緑の枝木
Ｄ１  花筒本体の外径
Ｄ２  花筒本体の内径
Ｄ３  蓋部の外径
Ｄ４  第１の挿し入れ口の内径
Ｄ５  第２の挿し入れ口の内径
Ｌ１  第３の挿し入れ口の軸線に沿う長さ
【図１】
0003135766.tif 000003
【図２】
0003135766.tif 000004
【図３】
0003135766.tif 000005
【図４】
0003135766.tif 000006
【図５】
0003135766.tif 000007
【図６】
0003135766.tif 000008
【図７】
0003135766.tif 000009